(57)【要約】【課題】ＦＭ放送信号のオートプリセットの精度を向上させることが可能なＦＭ選局回路を提供する。【解決手段】ＦＭ放送信号の受信モードである場合には、次にチャンネルデータに応じた局部発振周波数を設定する（ステップＳ２）。そして、次に、ＡＦＴ電圧を検出する（ステップＳ３）。ＡＦＴ電圧の電圧レベルの判定処理（１ＳＴＥＰ）を実行する（ステップＳ４）。具体的には、ＡＦＴ電圧が所定電圧（センター値）よりも低い場合には、局部発振周波数を１ステップ（１ＳＴＥＰ＝３１．２５ｋＨｚ）下げて、ＡＦＴ電圧の電圧レベルを判定する。一方、ＡＦＴ電圧が所定電圧（センター値）以上である場合には、局部発振周波数を１ステップ（１ＳＴＥＰ＝３１．２５ｋＨｚ）上げて、ＡＦＴ電圧の電圧レベルを判定する。ステップＳ５において、ＡＦＴ電圧が変化したと判断される場合には、局部発振周波数の調整処理を実行する（ステップＳ６）。【選択図】図３
2009232236.tif 000002
【特許請求の範囲】
【請求項１】
テレビ放送信号およびＦＭ放送信号を受信可能なＦＭ選局回路であって、
局部発振器と、
選局データに基づいた、前記局部発振器から周波数が制御された発振周波数信号を出力するためのＰＬＬ回路と、
入力されたＦＭ放送信号を前記局部発振器からの発振周波数信号に基づいて中間周波信号に変換する周波数変換回路と、
前記中間周波信号をＦＭ復調する復調回路と、
前記復調回路に入力される前記中間周波信号の入力に従って自動周波数調整信号を出力する信号発生回路と、
前記自動周波数調整信号の電圧値を計測する電圧レベル判定手段と、
前記電圧レベル判定手段により読取られた電圧値に基づいて、前記ＰＬＬ回路に対して前記発振周波数信号を調整するように指示する制御手段とを備え、
前記制御手段は、前記電圧レベル判定手段により読取られた電圧値に従って前記発振周波数信号を所定の周波数シフトさせて前記電圧レベル判定手段により読取られた電圧値が変化するかどうかを判断し、変化した場合には中心周波数に対する前記選局データの前記発振周波数信号の周波数ズレを算出し、算出結果に基づいて、前記ＰＬＬ回路に対して補正された選局データを出力する、ＦＭ選局回路。
【請求項２】
前記選局データを格納する記憶部をさらに備えた、請求項１記載のＦＭ選局回路。
【請求項３】
前記制御部は、前記電圧レベル判定手段により読取られた電圧値に基づいて、中心周波数に対する前記発振周波数信号の周波数ズレを算出する周波数誤差検知部を含む、請求項１記載のＦＭ選局回路。
【請求項４】
前記制御手段は、ＦＭ放送信号の受信時の前記自動周波数調整信号の温度ドリフトに基づく周波数ズレを調整する、請求項１記載のＦＭ選局回路。
【請求項５】
電源投入後からの時間に対応付けられた温度ドリフトに従う補正データを記憶する記憶部と、
電源投入後からの時間を計測する計測手段とをさらに備え、
前記制御手段は、前記計測手段により計測された計測時間に基づいて、前記記憶部に記憶された前記電源投入後からの時間に対応する補正データを読み出して、前記補正データにより前記選局データを補正して前記ＰＬＬ回路に出力する、請求項４記載のＦＭ選局回路。
【発明の詳細な説明】
【技術分野】
【０００１】
本発明は、テレビ用チューナにおいて、特にＦＭ放送を受信するＦＭ選局回路に関するものである。
【背景技術】
【０００２】
近年、電子同調チューナの局部発振出力をＰＬＬ（Phase Locked Loop）で制御する選局回路が普及し、これに、マイクロコンピュータ（ＣＰＵ）を導入して、リモートコントロール選局、受信チャンネル表示機能との連係等、より選局機能の充実を図る傾向にある。
【０００３】
そして、ＦＭ信号であるテレビ放送信号を復調する場合にも、局部発振出力の発生制御をＰＬＬ形態に構成した局部発振回路で行い、このＰＬＬ形態の局部発振回路をＣＰＵにより制御する構成が取られている。
【０００４】
テレビ放送信号のオートプリセットとしては、受信時において、ＦＭ検波コイルの出力電圧であるいわゆる自動周波数チューニング電圧（ＡＦＴ電圧）を測定して、測定したＡＦＴ電圧が、ＡＦＴ電圧の特性線であるＡＦＴカーブの中心周波数の電圧レベル付近となるようにチューニングを実行する。そして、ＡＦＴカーブの中心周波数の電圧レベル付近である所定の範囲内の電圧レベルとなった場合に同期有りと判定する。特開平２−１３１６１３号公報および特開平６−３１４９５８号公報においては、ＡＦＴ電圧に基づいて選局する一般的な方式が開示されている。
【０００５】
そして、同期有りと判定された場合、さらに、テレビ放送信号に含まれる映像信号の同期信号を検出して、映像信号の同期信号とのＡＮＤ論理演算結果に基づいてテレビ放送信号の局有り判定を実行する。そして、局有りと判定された当該周波数をチャンネル番号と対応付けて記憶部に記憶（メモリ）することになる。
【特許文献１】特開平２−１３１６１３号公報
【特許文献２】特開平６−３１４９５８号公報
【発明の開示】
【発明が解決しようとする課題】
【０００６】
しかしながら、ＦＭ放送信号のチャンネル帯域幅（２００ｋＨｚ）は、テレビ放送のチャンネル帯域幅（６ＭＨｚ）よりも狭い。
【０００７】
この点で、テレビ放送信号の場合には、チャンネル帯域幅（６ＭＨｚ）に合わせて所定周波数ずつ増加あるいは減少させる調整単位は比較的広く取られている。
【０００８】
したがって、ＦＭ放送信号を受信可能なテレビ用チューナにおいて、ＦＭ放送信号の際のオートプリセットの際に、テレビ放送信号と同様の調整精度により、ＡＦＴカーブの中心周波数からのズレを調整しようとした場合、調整単位が広いとチューニングを正常に実行することができないという問題がある。
【０００９】
本発明は、上記のような問題を解決するためになされたものであって、ＦＭ放送信号のオートプリセットの精度を向上させることが可能なＦＭ選局回路を提供することを目的とする。
【課題を解決するための手段】
【００１０】
本発明に係るＦＭ選局回路は、テレビ放送信号およびＦＭ放送信号を受信可能なＦＭ選局回路であって、局部発振器と、選局データに基づいた、局部発振器から周波数が制御された発振周波数を出力するためのＰＬＬ回路と、入力されたＦＭ放送信号を局部発振器からの発振周波数に基づいて中間周波信号に変換する周波数変換回路と、中間周波信号をＦＭ復調する復調回路と、復調回路に入力される中間周波信号の入力に従って自動周波数調整信号を出力する信号発生回路と、自動周波数調整信号の電圧値を計測する電圧レベル判定手段と、電圧レベル判定手段により読取られた電圧値に基づいて、ＰＬＬ回路に対して発振周波数を調整するように指示する制御手段とを備える。制御手段は、電圧レベル判定手段により読取られた電圧値に従って発振周波数を所定の周波数シフトさせて電圧レベル判定手段により読取られた電圧値が変化するかどうかを判断し、変化した場合には中心周波数に対する選局データの発振周波数の周波数ズレを算出し、算出結果に基づいて、ＰＬＬ回路に対して補正された選局データを出力する。
【００１１】
好ましくは、選局データを格納する記憶部をさらに備えた。
好ましくは、制御部は、電圧レベル判定手段により読取られた電圧値に基づいて、中心周波数に対する発振周波数の周波数ズレを算出する周波数誤差検知部を含む。
【００１２】
好ましくは、制御手段は、ＦＭ放送信号の受信時の自動周波数調整信号の温度ドリフトに基づく周波数ズレを調整する。
【００１３】
特に、電源投入後からの時間に対応付けられた温度ドリフトに従う補正データを記憶する記憶部と、電源投入後からの時間を計測する計測手段とをさらに備える。制御手段は、計測手段により計測された計測時間に基づいて、記憶部に記憶された電源投入後からの時間に対応する補正データを読み出して、補正データにより選局データを補正してＰＬＬ回路に出力する。
【発明の効果】
【００１４】
本発明に係るＦＭ選局回路は、制御手段において、電圧レベル判定手段により読取られた電圧値に従って発振周波数を所定の周波数シフトさせて電圧レベル判定手段により読取られた電圧値が変化するかどうかを判断し、変化した場合には中心周波数に対する選局データの発振周波数の周波数ズレを算出し、算出結果に基づいて、ＰＬＬ回路に対して補正された選局データを出力する。
【００１５】
すなわち、所定の周波数シフトさせて、選局データを補正するためＦＭ放送信号のオートプリセットの精度を向上させることが可能である。
【発明を実施するための最良の形態】
【００１６】
以下に図面を参照しつつ、本発明の実施の形態について説明する。以下の説明においては同一の部品および構成要素には同一の符号を付してある。それらの名称および機能も同一であるものとする。
【００１７】
（実施の形態１）
図１は、本発明の実施の形態に従うＦＭ選局回路を備えたテレビチューナ１の概略構成を説明するブロック図である。
【００１８】
図１を参照して、本発明の実施の形態１に従うテレビチューナ１は、アンテナ３を介してテレビ放送信号であるＲＦ信号とともにＦＭ放送信号であるＲＦ信号を受信可能であるものとする。本例においては、特にＦＭ放送信号について主に説明し、テレビ放送信号についてはその詳細な説明は省略する。
【００１９】
周波数帯は、大別して一例としてＶＨＦ帯（３０〜３００ＭＨｚ）とＵＨＦ帯（３００〜３ＧＨｚ）に分けられており、入力されたＲＦ信号は、ハイパスフィルタ２により分離される。なお、ＦＭ放送信号の帯域は、一例として７６〜９０ＭＨｚが使用されており、ＶＨＦ帯に含まれているものとする。ＶＨＦ帯において、テレビ放送信号の帯域としては、一例として９０〜２２２ＭＨｚが用いられているものとする。
【００２０】
ハイパスフィルタ２を通過したＵＨＦ帯のＲＦ信号は、バンドパスフィルタ６でさらに帯域が制限され、ＲＦアンプ１０によりＲＦ信号が増幅される。そして、バンドパスフィルタ１４により帯域が制限されてＭＯＰ回路１６に出力される。
【００２１】
また、ＶＨＦ帯に関しては、アンテナ３から入力されたＲＦ信号がバンドパスフィルタ４に入力され、バンドパスフィルタ４からＲＦアンプ８に出力される。ＲＦアンプ８によりバンドパスフィルタ４を通過したＲＦ信号が増幅され、バンドパスフィルタ１２を介して帯域が制限されて、ＭＯＰ回路１６に出力される。
【００２２】
ＭＯＰ回路１６は、ミキサ（Mixer）、局部発振器（Oscillator）およびＰＬＬシンセサイザを１つのワンチップの集積回路として設けたものであり、制御部７０により入力された選局されたチャンネルデータに対応する発振周波数データに応じた中間周波数を出力する。
【００２３】
ＭＯＰ回路１６は、ミキサ１８，２２と、局部発振器２０，２４と、ＰＬＬシンセサイザ２８と、増幅器２６とを含む。局部発振器２０，２４は、電圧制御発振器（ＶＣＯ）として構成されており、ＰＬＬシンセサイザ２８は、制御部７０から発振周波数データの入力を受けて、発振周波数データに基づくチューニング電圧を出力する。
【００２４】
そして、ＰＬＬシンセサイザ２８から出力されるチューニング電圧に従って電圧制御発振器内の可変容量素子の容量値が変化し、局部発振器から出力される信号の発振周波数が調整される。
【００２５】
ミキサ１８，２２は、局部発振器２０，２４からそれぞれ出力される発振周波数の入力およびバンドパスフィルタ１２，１４からの増幅されたＲＦ信号の入力を受けてミキシングし、増幅器２６を介して中間周波数を出力する。なお、本例においては、ミキサ１８，２２において、ＲＦ信号と局部発振器２０，２４からそれぞれ出力される発振周波数がミキシングされて中間周波数が出力されるものとする。
【００２６】
なお、ＭＯＰ回路１６において、ＰＬＬシンセサイザ２８からのチューニング電圧は、局部発振器２０，２４のいずれか一方に出力されるものとする。すなわち、ＶＨＦ帯あるいはＵＨＦ帯のいずれか一方のＲＦ信号を受信するものとする。本例においては、一例としてＶＨＦ帯のＦＭ放送信号を受信する場合について説明する。
【００２７】
ＭＯＰ回路１６から出力された中間周波数は、バンドパスフィルタ３２を介してＳＡＷフィルタ３４，３６にそれぞれ出力される。そしてＳＡＷフィルタ３４，３６からの出力信号はＰＩＦ／ＳＩＦ回路４０に出力される。
【００２８】
ＰＩＦ／ＳＩＦ回路４０は、アンプ４２，４４，４８，５２と、映像検波回路４６と、ＦＭ検波回路５０と、ＡＦＴ回路５４とを含む。
【００２９】
ＰＩＦ／ＳＩＦ回路４０は、ＳＡＷフィルタ３４，３６を通過した中間周波数に対して復調処理を施して、映像信号および音声信号をそれぞれ出力する。
【００３０】
具体的には、ＳＡＷフィルタ３４，３６からそれぞれ出力された中間周波数は、アンプ４２，４４によりそれぞれ増幅され、映像検波回路４６およびＦＭ検波回路５０にそれぞれ出力される。
【００３１】
そして、映像検波回路４６から出力された信号は、アンプ４８により増幅されてさらにアンプ５６を介して映像信号として出力される。
【００３２】
一方、ＦＭ検波回路５０から出力された信号は、アンプ５２により増幅されて音声信号として出力される。
【００３３】
ＡＦＴ回路５４は、アンプ４２からの増幅された中間周波数と、図示しない局部発振器における発振周波数との周波数差に比例した逆Ｓ字特性のＡＦＴ電圧を出力する。そして、当該ＡＦＴ電圧をＭＯＰ回路１６のＰＬＬシンセサイザ２８のアナログ−デジタル変換回路であるＡＤＣ回路３０に出力する。
【００３４】
ＰＬＬシンセサイザ２８のＡＤＣ回路３０は、ＡＦＴ回路５４からのアナログ信号であるＡＦＴ電圧を受けて、デジタル変換してその結果を制御部７０に出力する。
【００３５】
制御部７０は、周波数誤差検知部６０およびタイマ７５を含み、ＰＬＬシンセサイザ２８のＡＤＣ回路３０から出力されたデジタル信号を受けて、局有り判定および局部発振周波数調整処理等を実行する。
【００３６】
周波数誤差検知部６０は、ＡＤＣ回路３０から出力されたデジタル信号に基づいて、電圧誤差に基づく周波数誤差を算出する。
【００３７】
制御部７０は、周波数誤差検知部６０で算出された周波数誤差に基づいてＰＬＬシンセサイザ２８に出力する発振周波数データを補正する。
【００３８】
また、タイマ７５は、チューナに電源が投入されてからの時刻を計測するものとする。
記憶部８０は、制御部７０との間で必要なデータの授受を実行する。記憶部８０には、予めチャンネルデータとともにに対応付けられた発振周波数データが格納されているものとする。
【００３９】
図２は、本発明の実施の形態に従うＡＦＴ出力電圧を説明する図である。
図２を参照して、ここでは、横軸には中間周波数が示され、縦軸には対応するＡＦＴ電圧が示されている。
【００４０】
ここでは、逆Ｓ字特性のＡＦＴ電圧のＡＦＴカーブが示されている。そして、本例においては、一例としてテレビチューナ１の周囲温度が２５℃である場合に、ＡＦＴカーブの中心周波数ｆ０（センター周波数）が４１．２５０ＭＨｚとして示されている。
【００４１】
本例においては、ＡＦＴ電圧値は、２．２５〜３．００Ｖ間にあれば、周波数ズレなしとして判断されるものとする。
【００４２】
また、ここでは、温度ドリフトによりＡＦＴ電圧のＡＦＴカーブが変化している場合が示されている。具体的には、テレビチューナ１の周囲温度が６０℃あるいは７０℃の場合が示されている。
【００４３】
図３は、本発明の実施の形態に従うＦＭ放送信号のオートプリセットを説明するフロー図である。
【００４４】
図３を参照して、本発明の実施の形態１に従うＦＭ放送信号のオートプリセット時においては、まず、ＦＭ放送信号の受信モードであるかどうかを判断する（ステップＳ１）。具体的には、一例としてＦＭ放送信号の受信周波数の帯域は、７６．０〜９０．０ＭＨｚであり、ＶＨＦ帯において、テレビ放送信号の受信周波数の帯域は、９０．０ＭＨｚ〜２２２ＭＨｚである。
【００４５】
したがって、ステップＳ１において、いずれの周波数帯域の信号を受信するかを判断する。
【００４６】
そして、ＦＭ放送信号の受信モードである場合には、次にチャンネルデータに応じた局部発振周波数を設定する（ステップＳ２）。
【００４７】
具体的には、ＦＭ放送信号のオートプリセットの際に、制御部７０からの指示に応答して、チャンネルデータ（選局データ）に対応付けられた発振周波数データが記憶部８０から読み出される。そして、制御部７０は、記憶部８０に格納された周波数の低い放送局に対応するチャンネルデータに対応付けられた発振周波数データを読み出してＰＬＬシンセサイザ２８に出力する。
【００４８】
そして、ＰＬＬシンセサイザ２８は、制御部７０からの指示に応答して、入力された発振周波数となるようにチューニング電圧を出力する。
【００４９】
そして、次に、ＡＦＴ電圧を検出する（ステップＳ３）。
具体的には、ＡＦＴ回路５４から出力されるＡＦＴ電圧をＡＤＣ回路３０により測定して、その結果が制御部７０に入力される。
【００５０】
そして、制御部７０は、ＡＦＴ電圧の電圧レベルの判定処理（１ＳＴＥＰ）を実行する（ステップＳ４）。
【００５１】
具体的には、ＡＦＴ電圧が所定電圧（センター値）よりも低い場合には、局部発振周波数を１ステップ（１ＳＴＥＰ＝３１．２５ｋＨｚ）下げて、中間周波数を調整してＡＦＴ電圧の電圧レベルを判定する。本例においては、センター値の一例として、２．５Ｖに設定されているものとする。
【００５２】
一方、ＡＦＴ電圧が所定電圧（センター値）以上である場合には、局部発振周波数を１ステップ（１ＳＴＥＰ＝３１．２５ｋＨｚ）上げて、中間周波数を調整してＡＦＴ電圧の電圧レベルを判定する。
【００５３】
ここで、ＡＦＴ電圧が所定電圧（センター値）よりも低い場合には、１ステップ下げてＡＦＴ電圧を検出する理由は、ＡＦＴカーブが逆Ｓ字特性を示すものであり、１ステップ下げることにより、ＡＦＴ電圧が所定電圧よりも高くなる場合には、局部発振周波数の調整により中間周波数がＡＦＴカーブの中心周波数にチューニングされていることを確認することができるからである。また、ＡＦＴ電圧が所定電圧（センター値）よりも高い場合には、１ステップ上げてＡＦＴ電圧を検出する理由は、ＡＦＴカーブが逆Ｓ字特性を示すものであり、１ステップ上げることにより、ＡＦＴ電圧が所定電圧よりも低くなる場合には、局部発振周波数の調整により中間周波数がＡＦＴカーブの中心周波数にチューニングされていることを確認することができるからである。
【００５４】
そして、次に、逆Ｓ字特性のＡＦＴ電圧のＡＦＴカーブに従って、ＡＦＴ電圧が先の検出したＡＦＴ電圧から変化したかどうかを判定する（ステップＳ５）。変化した場合には、シフトさせる前あるいはシフト後の発振周波数は、逆Ｓ字特性のＡＦＴ電圧のＡＦＴカーブの中心周波数付近であると判断することができる。
【００５５】
ステップＳ５において、ＡＦＴ電圧が変化したと判断される場合には、局部発振周波数の調整処理を実行する（ステップＳ６）。
【００５６】
図４は、ＡＤＣ回路の出力するデジタル信号を説明する図である。
図４に示されるようにＡＤＣ回路は、ＡＦＴ電圧が３〜５Ｖの場合には、ＰＡ２，ＰＡ１，ＰＡ０の３ビットのデータ信号を「１００」に設定する。
【００５７】
また、ＡＦＴ電圧が２．２５〜３Ｖの場合には、ＰＡ２，ＰＡ１，ＰＡ０の３ビットのデータ信号を「０１１」に設定する。ＡＦＴ電圧が１．５〜２．２５Ｖの場合には、ＰＡ２，ＰＡ１，ＰＡ０の３ビットのデータ信号を「０１０」に設定する。
【００５８】
また、ＡＦＴ電圧が０．７５〜１．５Ｖの場合には、ＰＡ２，ＰＡ１，ＰＡ０の３ビットのデータ信号を「００１」に設定する。
【００５９】
また、ＡＦＴ電圧が０〜０．７５Ｖの場合には、ＰＡ２，ＰＡ１，ＰＡ０の３ビットのデータ信号を「０００」に設定する。
【００６０】
制御部７０は、ＡＤＣ回路３０からの３ビットのデータ信号の入力を受けて、ＡＦＴ電圧の電圧レベルを検出し、そして、ＡＦＴ電圧が変化したかどうかを判断する。すなわち、ＡＤＣ回路３０からの３ビットのデータ信号に変化があったかどうかを判断する。
【００６１】
変化があった場合には、制御部７０は、周波数誤差検知部６０を用いてＡＦＴ電圧が所定の電圧レベルの範囲内（本例においては、２．２５〜３Ｖの範囲内）に含まれるように周波数ズレを算出する。そして、周波数ズレに従って局部発振周波数を調整する。
【００６２】
周波数誤差検知部６０は、上述したようにＡＤＣ回路３０からのＡＦＴ電圧のデジタル信号の入力に従って電圧誤差に基づく周波数誤差を算出する。そして、制御部７０は、当該周波数誤差に基づいて、ＰＬＬシンセサイザ２８に対して補正した発振周波数データを出力する。
【００６３】
そして、ＰＬＬシンセサイザ２８は、補正した発振周波数となるようにチューニング電圧を補正する。そして、局部発振器２０の発振周波数を調整し、ＡＦＴカーブの中心周波数の電圧レベル付近となるようにチューニングが実行される。
【００６４】
再び、図３を参照して、制御部７０は、ＡＦＴ電圧がＡＦＴカーブの中心周波数の電圧レベル付近である所定の範囲内（本例においては、２．２５〜３Ｖの範囲内）の電圧レベルとなった場合に局有りと判定する（ステップＳ９）。
【００６５】
そして、チャンネルデータ（選局データ）に対応付けて調整した局部発振周波数データを記憶部８０に記憶（チャンネルメモリ）する（ステップＳ１０）。
【００６６】
そして、次のステップＳ１１に進む。
一方、ステップＳ５において、ＡＦＴ電圧が変化しないと判断される場合には、次に、ＡＦＴ電圧の電圧レベルの判定処理（２ＳＴＥＰ）を実行する（ステップＳ７）。
【００６７】
具体的には、ＡＦＴ電圧が所定電圧よりも低い場合には、局部発振周波数を２ステップ（２ＳＴＥＰ＝６２．５０ｋＨｚ）下げて、中間周波数を調整してＡＦＴ電圧の電圧レベルを検出する。
【００６８】
一方、ＡＦＴ電圧が所定電圧よりも高い場合には、局部発振周波数を２ステップ（２ＳＴＥＰ＝６２．５０ｋＨｚ）上げて、中間周波数を調整してＡＦＴ電圧の電圧レベルを検出する。
【００６９】
ここで、ＡＦＴ電圧が所定電圧（センター値）よりも低い場合には、２ステップ下げてＡＦＴ電圧を検出する理由は、ＡＦＴカーブが逆Ｓ字特性を示すものであり、１ステップでは変化を検出することができない程度、局部発振周波数が中心周波数からずれている場合であっても２ステップ下げることにより、ＡＦＴ電圧が所定電圧よりも高くなる場合には、局部発振周波数の調整により中間周波数がＡＦＴカーブの中心周波数にチューニングされていることを確認することができるからである。
【００７０】
また、ＡＦＴ電圧が所定電圧（センター値）よりも高い場合には、２ステップ上げてＡＦＴ電圧を検出する理由は、ＡＦＴカーブが逆Ｓ字特性を示すものであり、１ステップでは変化を検出することができない程度、局部発振周波数が中心周波数からずれている場合であっても２ステップ上げることにより、ＡＦＴ電圧が所定電圧よりも低くなる場合には、局部発振周波数の調整により中間周波数がＡＦＴカーブの中心周波数にチューニングされていることを確認することができるからである。
【００７１】
そして、次に、逆Ｓ字特性のＡＦＴ電圧のＡＦＴカーブに従って、ＡＦＴ電圧が先の検出したＡＦＴ電圧から変化したかどうかを判定する（ステップＳ８）。変化した場合には、シフトさせる前あるいはシフト後の発振周波数は、逆Ｓ字特性のＡＦＴ電圧のＡＦＴカーブの中心周波数付近であると判断することができる。
【００７２】
ステップＳ８において、ＡＦＴ電圧が変化したと判断される場合には、ステップＳ６の局部発振周波数の調整処理を実行する。
【００７３】
一方、ステップＳ８において、ＡＦＴ電圧が変化しないと判断される場合には、放送局の存在を指し示す逆Ｓ字特性のＡＦＴ電圧のＡＦＴカーブは局部発振周波数の周辺に存在しないと判断して、局無しとして判定する（ステップＳ１３）。
【００７４】
そして、ステップＳ１１において、次のチャンネル選局があるかどうかを判断する。
次のチャンネル選局がある場合には、ステップＳ１２に進んでチャンネルデータに応じた局部発振周波数を再設定し、ステップＳ３にて上述したのと同様の処理を実行する。具体的には、記憶部８０に格納された周波数の低い放送局に対応するチャンネルデータに対応付けられた発振周波数データから順番に読み出してオートプリセットを行う。
【００７５】
当該構成により、ＦＭ放送信号のオートプリセットの際、チャンネル帯域幅に合わせて、シフトする周波数（１ＳＴＥＰ＝３１．２５ｋＨｚ）をテレビ放送の調整精度よりも小さくすることにより、テレビ放送のチャンネル帯域幅（６ＭＨｚ）よりも狭いＦＭ放送信号の狭いチャンネル帯域幅（２００ｋＨｚ）においてもオートプリセットを正常に実行することが可能である。
【００７６】
（実施の形態２）
上記の実施の形態１においては、定常時であるテレビチューナ１の周囲温度が２５℃である場合について説明したが、テレビチューナ１の電源投入直後においては、ＡＦＴ電圧について、テレビチューナ１の周囲温度に起因して温度ドリフトが生じる場合がある。具体的には、図２で示したように、テレビチューナ１の周囲温度が６０℃あるいは７０℃の場合にＡＦＴ電圧のＡＦＴカーブについて、温度ドリフトが生じている場合が示されている。
【００７７】
当該場合には、ＡＦＴカーブのセンター周波数が大幅にずれることになり、発振周波数とセンター周波数とが大幅にずれた場合には、オートプリセットを正常に実行することができない可能性がある。
【００７８】
したがって、温度ドリフトが生じる場合には、発振周波数データを補正しておくことにより正常にオートプリセットを実行することが可能となる。
【００７９】
具体的には、記憶部８０にテレビチューナ１の電源投入後の時刻と、発振周波数データの補正データを対応付けて記憶させる。
【００８０】
そして、制御部７０のタイマ７５によりテレビチューナ１の電源投入からの時刻を計測する。
【００８１】
そして、制御部７０は、計測した時刻に基づいて、オートプリセットを実行する際に温度ドリフトが生じると判断される場合には、記憶部８０から電源投入後の時刻と、発振周波数データの補正データを読み出し、当該補正データを用いて記憶部８０に格納された通常の発振周波数データを補正してＰＬＬシンセサイザ２８に出力する。
【００８２】
これにより、電源投入後のテレビチューナ１の周囲温度に起因して温度ドリフトが生じる場合であっても、温度ドリフトに対応して発振周波数データを補正することにより、発振周波数がＡＦＴカーブのセンター周波数から大幅にずれることを防止し、オートプリセットを正常に実行することが可能となる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８４】
【図１】本発明の実施の形態に従うＦＭ選局回路を備えたテレビチューナ１の概略構成を説明するブロック図である。
【図２】本発明の実施の形態に従うＡＦＴ出力電圧を説明する図である。
【図３】本発明の実施の形態に従うＦＭ放送信号のオートプリセットを説明するフロー図である。
【図４】ＡＤＣ回路の出力するデジタル信号を説明する図である。
【符号の説明】
【００８５】
１  テレビチューナ、２  ハイパスフィルタ、３  アンテナ、４，６，１２，１４，３２  バンドパスフィルタ、８，１０  ＲＦアンプ、１６  ＭＯＰ回路、１８，２２  ミキサ、２０，２４  局部発振器、２６  増幅器、２８  ＰＬＬシンセサイザ、３０  ＡＤＣ回路、３４，３６  ＳＡＷフィルタ、４０  ＰＩＦ／ＳＩＦ回路、４２，４４，４８，５２  アンプ、４６  映像検波回路、５０  ＦＭ検波回路、５４  ＡＦＴ回路、５６  アンプ、６０  周波数誤差検知部、７０  制御部、７５  タイマ、８０  記憶部。
【図１】
2009232236.tif 000003
【図２】
2009232236.tif 000004
【図３】
2009232236.tif 000005
【図４】
2009232236.tif 000006